(57)【要約】【課題】  機械的に処理された被加工物または工具のような物体と音響センサとの間の音の伝達の改善をもたらす結合素子および音響変換器を提供する。【解決手段】  本発明は、高周波構造物伝搬雑音を音響変換器（２）から物体（４）に、かつ／または物体（４）から音響変換器（２）に伝達するために、音響変換器（２）を物体（４）に音響的に結合するための結合素子に関し、結合素子（１）は物体（４）に確実に接触するために変形可能な接触領域を含む。【選択図】  図２
2013509570.tif 000002
【特許請求の範囲】
【請求項１】
高周波構造物伝搬雑音を音響変換器（２）から物体（４）に、かつ／または物体（４）から音響変換器（２）に伝達するために、音響変換器（２）を物体（４）に音響的に結合するための結合素子において、前記物体（４）に確実に接触するために結合素子（１）が変形可能な接触領域を含むことを特徴とする結合素子。
【請求項２】
前記物体（４）が、工具（３）によって機械的に処理することのできる被加工物（５）、または工具（３）であり、あるいは前記被加工物（５）および／または前記工具（３）に音響的に結合されることを特徴とする、請求項１に記載の結合素子。
【請求項３】
変形可能である外皮（１０）によって少なくとも幾つかの部分を包囲される充填物（９）を特徴とする、請求項１または２に記載の結合素子。
【請求項４】
前記外皮（１０）が塑性または弾性変形可能であることを特徴とする、請求項３に記載の結合素子。
【請求項５】
前記外皮（１０）がフィルム、網、織物、またはそれらの組合せから形成されることを特徴とする、請求項３または４に記載の結合素子。
【請求項６】
少なくとも部分的に互いに接触することができかつ前記音響変換器（２）と前記物体（４）との間に１つ以上の音伝達経路（１７）を形成することができる伝達体（１１）を、前記充填物（９）が含むことを特徴とする、請求項３ないし５のいずれかに記載の結合素子。
【請求項７】
前記伝達体（１１）が前記音響変換器（２）の一部分と直接接触するために露出される領域に、前記外皮（１０）が開口（１２）を有することを特徴とする、請求項６に記載の結合素子。
【請求項８】
前記伝達体（１１）が略球体および／または多面体に形成されることを特徴とする、請求項６または７に記載の結合素子。
【請求項９】
前記充填物（９）が液体および／または少なくとも１つの空隙（１３）を含むことを特徴とする、請求項３ないし８のいずれかに記載の結合素子。
【請求項１０】
音響センサ（１４）および／または音発生器を備え、被加工物の機械的処理中に高周波構造物伝搬雑音を検出および／または生成するための音響変換器において、請求項１ないし９のいずれか一項に記載の結合素子（１）を特徴とする音響変換器。
【請求項１１】
前記音響センサ（１４）および／または音発生器を受容するために筐体（１５）が設けられ、かつ前記結合素子（１）が前記筐体（１５）に固定されることを特徴とする、請求項１０に記載の音響変換器。
【請求項１２】
前記結合素子（１）が前記筐体（１５）に音響結合接続するための連結片（１６）を有し、前記連結片（１６）が好ましくは金属から形成されることを特徴とする、請求項１１に記載の音響変換器。
【請求項１３】
前記連結片（１６）が確実、非確実、および／またはシームレス接続によって音響的に結合されるように前記筐体（１５）に接続可能であることを特徴とする、請求項１２に記載の音響変換器。
【請求項１４】
前記音響センサ（１４）および／または前記音発生器が圧電部品を含むことを特徴とする、請求項９ないし１２のいずれかに記載の音響変換器。
【発明の詳細な説明】
【技術分野】
【０００１】
本発明は、請求項１の前段に記載の結合素子に関する。これによると、結合素子は音響変換器を物体に音響結合するために設けられる。加えて、本発明は、請求項１０の前段に記載の音響変換器に関する。これによると、音響変換器は、被加工物の機械的処理中に音響変換器からの高周波構造物伝搬雑音を検出および／または生成するために使用される。
【背景技術】
【０００２】
例えば切削工具による被加工物の機械的処理は、被加工物の処理中に生じる欠陥、例えば被加工物の起こり得るクラック形成または工具の破砕を検出するために、処理中に発生する構造物伝搬雑音を検出することによって監視することができる。
【０００３】
工具または被加工物の状態または破砕のそのような監視は、ドイツ特許第102006023716号明細書から公知である。そこでは、音響センサが、監視対象の被加工物の２つの平坦な面の各々に平坦に載置される。例えばドリルの破砕は、２つの音響センサへの音響信号の通過時間の差の測定に基づいて決定することができる。しかし、ここでは、単に音響信号の存在を識別する必要があるだけなので、被加工物に対する音響センサの結合に特定の要求事項が課せられていない。
【０００４】
被加工物が、曲面部以外、音響センサ用の平坦な結合のための便宜を持たない場合、音響センサの被加工物へのポイント・バイ・ポイント結合のために、ドイツ実用新案第9403901号明細書に係るスキャニングアームの形の結合素子を使用することができる。しかし、ここでの不利点は、被加工物の表面における音響センサの接触面積が小さいことである。この結果、低い音響パワーしか被加工物から音響センサに伝達されず、評価に利用可能な構造物伝搬雑音パワーの主要部分は使用されないままである。
【０００５】
しかし、低い伝達音響パワーに加えて、ポイント・バイ・ポイント結合だけの場合、伝達音スペクトルも限られ、ドイツ実用新案第9403901号明細書ではさらに、研磨接触のため、おそらく多くの干渉信号に見舞われ、それによって改ざんされる。
【０００６】
そのような公知のポイント・バイ・ポイント結合はしたがって、放音スペクトル全体を検出しかつ評価する方法には適さない。特に放音スペクトルを超高周波レンジまで検出する場合、単なるポイント・バイ・ポイント結合は不適切であることが立証されている。しかし、丸みを帯びているか段付きの被加工物に対する音響センサの平坦な結合は、接触面が相補的ではないので、しばしば不可能である。
【０００７】
低周波音響信号を用いる試験体の非破壊検査のための装置は、ドイツ特許公開第102006059413号公報から公知である。柔軟膜を有する低周波音響信号用の超音波音響変換器は米国特許第5426980号明細書から公知である。日本国特開平8‐021828号公報は、音波を減衰するために導波管の空洞を使用することを記載している。日本国特開2006‐349486号公報は、結合される接触面と相補的な形状の接触面を有する音響センサを開示している。
【０００８】
この背景に照らして、本発明の目的は、一方において機械的に処理された被加工物または工具のような物体と、他方において音響センサとの間の音の伝達の改善をもたらす、請求項１または１０の前段に記載する結合素子および音響変換器を提供することである。
【先行技術文献】
【特許文献】
【０００９】
【特許文献１】ドイツ特許第102006023716号明細書
【特許文献２】ドイツ実用新案第9403901号明細書
【特許文献３】ドイツ特許公開第102006059413号公報
【特許文献４】米国特許第5426980号明細書
【特許文献５】日本国特開平8‐021828号公報
【特許文献６】日本国特開2006‐349486号公報
【発明の概要】
【００１０】
この目的は、請求項１または１０に記載する、物体に対する音響変換器の音響結合用の結合素子および音響変換器によって解決する。
【００１１】
これによると、結合素子は少なくとも特定の部分が変形可能であり、それによって結合素子は物体と実質的に確実に接触することができる。したがって、音響変換器の感応領域は任意の形状の表面、例えば曲面部、角隅、段部、縁部、突出部分等に適応される。特に良好な結合は、特に音響変換器が結合素子と共に力で物体に押し付けられた場合に達成される。変形可能な結合素子は物体の表面に密着する。このようにして、最大可能な接触領域が形成される。物体と結合素子との間の、およびしたがって物体と音響変換器との間においても、大きい接触領域の結果、比較的高い音響パワーを物体から結合素子を介して音響変換器に伝達することが可能である。音響収集のエネルギ収率は本発明に係る結合素子によって、例えばスキャニングアーム、特に先端を有ししたがって接触領域の小さいものと比較してかなり増大する。加えて、音響周波数の評価のための大きくかつ特に高周波の音響スペクトルは、実質的に改ざんされず、広帯域で伝達することができる。高周波、好ましくはおそらく高いＭＨｚ範囲のような超高周波までのアコースティックエミッションスペクトルを用いる、そのような特に広帯域の音響周波数の評価は、他の技術と比べて著しく改善された工程監視を可能にする。
【００１２】
そのような音は好ましくは、結合素子によって音響変換器から物体へ、かつ／または物体から音響変換器へ伝達することができ、音は、特に１つの被加工物または被加工物に割り当てられた１つの物体の機械的処理中に生じる。この音は高周波構造物伝搬雑音から形成される。この高周波構造物伝搬雑音スペクトルの評価は、被加工物処理の質に関する情報を提供する。本発明に係る結合素子の変形能の結果、少なくとも特定の領域で、任意の形状の表面を有する、被加工物または工具からの構造物伝搬雑音信号は、比較的高い音響パワーの伝達状態で評価することができる。
【００１３】
結合素子は、変形可能な外皮によって少なくとも幾つかの部分を包囲された充填物を含むことが好ましい。充填物も変形可能であると好都合である。充填物および外皮はそれによって、袋状容器を形成することができる。この容器は、構造物伝搬雑音信号が可能な限り遠くへ広帯域で、かつ特にスペクトルの高周波部分を含めて、充分に強くかつ好ましくは改ざんされずに伝達されるように、構成される必要がある。
【００１４】
本発明に係る結合素子の好適な実施形態では、外皮が塑性または弾性変形可能であるようにすることができる。この場合、外皮に特に適しているのは、物体または被加工物の任意の形状の表面に対する比較的良好な適応を達成することのできる、伸縮自在な材料である。弾性変形可能な場合、結合素子は、様々な形状の物体に特によく適応することができる。このようにして、様々な被加工物の音響信号を高効率で検出することができる。これは、金属被加工物の工業生産において、例えば各々が異なる形状の表面を有する異なる被加工物をそこで異なるサイクルで製造しようとする場合に、特に有利である。
【００１５】
本発明に係る結合素子の充填物の外皮は、フィルム、網、織物から希望に応じて、またはそれらの任意の組合せから希望に応じて形成することができる。フィルムは、弾性特性を有するプラスチックから形成することが好ましい。フィルムの音伝達挙動は、高周波音が少なくとも部分的に伝達されるように構成する必要がある。加えて、フィルムは被加工物処理工程の要件を満たす必要があり、特に耐温度性および耐薬品性要件を考慮する必要がある。さらに、フィルムの層の厚さも、塑性または弾性変形能の程度の要件に適応させる必要がある。網から形成された充填物の外皮は代替的に、充填物が周囲から音響的に絶縁されないという利点をもたらす。外皮を網として設計する場合、網の中身は物体もしくは被加工物および／または音響変換器の筐体と直接接触することが可能である。充填物のこの直接接触は、音の伝達を改善する。織物から形成された外皮は、高い変形能だけでなく、高い機械的耐荷力および耐応力性をも特徴とする。
【００１６】
充填物が、音響変換器と物体との間に１つ以上の音伝達経路を形成するように、監視対象の物体に当着または押圧された状態で、少なくとも部分的に互いに接触する伝達体を含む場合、特に有利である。そのような伝達体は、固体材料から有利に形成される。これは、例えば金属球、粒状材料等を含むことができる。固体における高周波の音の伝搬は、固体状態の集合体を持たない材料よりかなりよいことが重要である。これは、例えば多くの金属に当てはまる。金属はまた、より高い帯域の音響周波数の伝達を特徴とし、固体材料から形成された伝達体は、音響スペクトルの高周波成分も伝達する。伝達体中の音の速度が物体（被加工物、工具、機械、フレーム等）および／または音響変換器における音の速度と同一であるか、または少なくとも類似している場合、反射損失は音が液体または気体に結合される場合より著しく低くなる。幾何学的に不規則な形状の伝達体の場合、音データの解釈、特に伝達体の界面での音の反射は複雑になり得る。したがって、音データの解釈を簡素化するために、充填物に含まれる全ての伝達体が均一な形状を有し、かつ同一材料から形成される場合、適切になり得る。多くの小さい伝達体を設ける場合、伝達体同士の接触ゆえに、広帯域音響スペクトルを伝達する多くの平行な音伝達経路が物体と音響変換器との間に形成される。
【００１７】
音の伝達を改善するために、伝達体が外皮によって音響変換器から音響的に絶縁されず、音響変換器の音響接触面に直接接触すると有利になり得る。したがって、充填物内の伝達体が音響変換器の一部分に直接接触することができるように、外皮が少なくとも１つの開口を有することが好都合であることが立証されている。したがって、充填物は一方において外皮によって画成され、他方において結合素子に対向する音響変換器の部分の表面の少なくとも１つの領域によって画成される。この部分は例えばセンサ表面自体によって、またはセンサ表面の近傍の筐体の領域によって形成することができる。重要なことは、音響変換器の領域で、センサ表面と伝達体との間に外皮によって形成される音響絶縁が無く、伝達体がセンサ表面と直接接触できることである。
【００１８】
伝達体は有利なことに、略球体かつ／または多面体に形成することができる。好ましくは金属またはセラミックとしあるいは別の非常に硬質な材料から形成することのできる伝達体のこれらの形状は、音響スペクトルの高周波部分を伝達すると共に任意の形状の表面に適応するように結合素子の変形能の特性を有する固体材料による、本発明に係る結合素子の高い空間充填率を導く。同一直径および同一材料の球体または多面体により、球面における音反射は、データ処理中に音データから容易に除去することができる。本発明に係る結合素子を有する音響変換器を例えば被加工物または工具のような物体に押し付けると、できるだけ多くの伝達体が互いに音響的に接触する安定した位置を占めるようになるまで、球体および／または多面体が結合素子の充填物の内部で変位する。こうして音は、物体または被加工物または工具から、互いに接触している（金属）伝達体を介して、センサ表面またはセンサの筐体に伝達される。伝達体が球形からずれる場合、結合素子の空間充填率は実際最適化することができるが、充填物の（塑性）変形能はそれによって損なわれることがある。しかし、多面体は、外皮に対する横力およびしたがって側圧が球体の場合より低いので、非確実接続を生じさせる力の増大をもたらす。球体または同様の形状の伝達体の空間充填率が高ければ高いほど、結合素子の全音伝達は良好である。音伝達損失は、充填物の外皮の状態、特にその厚さまたは強度、および球体または伝達体の間の中間空間の全容積に依存する。
【００１９】
加えて、充填物が液体を含むようにすると、好都合な場合がある。液体は好ましくは高粘性を有するべきであり、例えば油の場合がそれにあたる。希望するならば、充填物は低粘性油脂を含むこともできる。液体または油脂および伝達体も両方含む充填物は特に有利である。伝達体はそれによって液体または油脂に包囲される。この場合、液体は、音響スペクトルの低周波部を伝達することが好ましい。代替的に、ゲルまたはゲル様物質も充填物の構成要素として適用することができる。このゲルは、変形能の特性を特徴とする。ゲルは、伝達体のための（担体）媒質として使用される。充填物が液体を含む場合、結合素子の充填物における液体の圧力は、そこに含まれる伝達体の変位が可能になるように選択する必要がある。結合素子を物体に押し付けたときに、液体の圧力は変化し得るが、液体の水硬性によって制限される。
【００２０】
充填物は１つ以上の空隙を含むようにすることができる。空隙の存在は、被加工物の物体の自由形成表面に対する外皮の表面の適応の向上を可能にする。それによって、変形可能な結合素子の可変性が高まる。希望するならば、空隙にガスを充填することができる。
【００２１】
本発明の対象は、特に、被加工物の機械的処理中に好ましくは高周波構造物伝搬雑音を検出および／または生成するための音響変換器でもある。音響変換器は音響センサおよび／または音発生器を含み、また筐体を含むことが好都合である。本発明では、結合素子は音響変換器に配置され、少なくとも特定の領域で変形可能であり、それによって実質的に確実に物体と接触することができる。この結合素子は、前述した特徴の１つ以上を特徴とすることができる。検出しようとする音をもたらす物体は、工具または被加工物によって形成することができ、あるいはこれに音響的に結合することができる（例えば被加工物保持器）。特に、この物体は、自由曲面、例えば凹面もしくは凸面状に形成された表面、または特殊輪郭の表面を有することができる。本発明に係る音響変換器の結合素子の変形能のため、物体の自由曲面と音響変換器のセンサ表面との間の接触領域は増大する。したがって、物体から音響変換器へ、または音響変換器から物体へ特に広帯域でより高い音響パワーを伝達することが可能である。特に、被加工物処理中の構造物伝搬雑音の解釈はそれによって効率が上がり、その結果、被加工物の処理が最終的により確実かつ高品質になる。これは、伝達される音響パワーが増大するため、被加工物処理における相応する弱い異常に起因すると考えることのできる弱い音響信号も検出することができるので、なおさらそうである。これは例えば非常に微細なクラックの形成を含むことができる。
【００２２】
音響センサおよび／または音発生器は、結合素子が固定される筐体を有することが好ましい。結合素子および音響変換器はこうして装置ユニットを形成する。
【００２３】
結合素子はさらに、筐体をそこに固定することのできる連結片を含むことができる。連結片は、金属から、特に結合素子および筐体の不可欠な構成要素を形成するのと同一金属から形成することが好ましい。金属は、（構造物伝搬）雑音スペクトルの高周波部分の特に良好な音響伝導性を特徴とする。
【００２４】
連結片は好ましくは、確実、非確実、および／またはシームレス接続によって、筐体に接続することができる。連結片は例えば音響センサ筐体に螺合することができる。これとは代替的に、プラグ接続することもできる。螺合可能またはプラグ接続可能な連結片付きの本発明に係る音響変換器の構成は、希望する場合、結合素子を音響変換器から取り外すことを可能にする。したがって、例えば被加工物の表面が平面状である場合、結合素子無しの音響変換器は、変換器の同様に平面状のセンサ表面を被加工物に直接配置することができる。次いで、平面状の表面を持つ被加工物の処理後に自由曲面を有する被加工物を処理する場合、音響変換器は必要ならば、連結片に接続することによって、本発明に係る結合素子と共に使用することができる。特定の事例では、結合素子を音響センサ筐体または音発生器筐体に接着剤で接合することが、好都合な場合もあり得る。そのような接続は、特に頑健であることを特徴とする。特に、被加工物を頻繁に変更する場合、本発明に係る結合素子を誤って紛失することは起こり得ない。
【００２５】
代替的に、連結片の接続は、連結片と音響変換器筐体との間の（永久）磁石相互作用によって達成することができる。この場合、連結片は永久磁石または電磁石を含み、それにより連結片は磁気音響センサ筐体に接着する。伝達体はまた永久磁性または磁化可能とすることもでき、結合袋を介して、または結合袋無しで、磁力によって、機械部品または被加工物への圧力嵌めおよび／または形状嵌めを達成することができるように、磁石はセンサの下に取着することができ、それは手動接着のための取扱いを特に容易にし、かつ再現可能な押圧力を生成する。
【００２６】
本発明に係る音響変換器の有利な実施形態では、音響センサおよび／または音発生器は圧電部品から形成される。圧電部品は、音スペクトルの高周波レンジの音伝達に特によく適している。さらに、金属被加工物または本発明に係る結合素子の金属部品に対する圧電部品の音響結合は、非常に適している。
【００２７】
例示的実施形態で主張かつ記載する、本発明に従って使用される前述の部品は、それらの大きさ、形状、材料の選択、および技術的概念について特定の排除条件にさらされず、出願の領域における公知の選択基準を制限的に使用することができる。
【００２８】
本発明対象のさらなる詳細、特徴、および利点は、請求の範囲および以下の説明、ならびに実施例として結合素子および音響変換器の例示的実施形態を示す関連図面から得られる。請求項または実施形態の個々の特徴は、他の請求項および実施形態の他の特徴と組み合わせることができる。
【図面の簡単な説明】
【００２９】
【図１】構造物伝搬雑音を受け取るための手段が被加工物に設けられた、切削工具を含む被加工物の処理のための装置の概略図である。
【図２】被加工物と音響変換器との間に配置された結合素子の概略図である。
【図３】連結片によって音響変換器に固定された結合素子を持つ音響変換器の概略図である。
【発明を実施するための形態】
【００３０】
図１は、工具３、ここでは例えばドリルにより、被加工物５を処理する工具処理装置６を示す。被加工物処理の品質を監視するために、音響変換器２が被加工物５に取着され、それはライン７を介して評価ユニット８に接続される。
【００３１】
工具３による処理中に発生する被加工物５の構造物伝搬雑音信号は、音響変換器２によって検出され、評価ユニット８で評価される。被加工物の処理中に破砕またはクラックの形成が発生すると、これは、評価ユニット８における音響信号の解釈によって識別することができる。したがって、被加工物の処理中に欠陥が形成されたおそれのある被加工物５を分離することが可能になる。評価はまた、例えば工具等の摩耗状態に関する結論のようなさらなる決定をも可能にする。被加工物処理全体の品質が監視によって改善される。音響変換器２は、工具６または工具６および／または被加工物５に音響的に結合された機械部品、例えばおそらくフレームに結合することができる。
【００３２】
被加工物５はここでは例えば球状または凸状表面を有する。凸状表面の結果、音響センサ１４（図２を参照）が平面状のセンサ表面を有する音響変換器２は、被加工物５に対し、不満足な状態でしか直接取着することができない。したがって、図１に係る音響変換器２は変形可能な結合素子１を含む。
【００３３】
ここで音響変換器２を力で被加工物５に押し付けると、結合素子１は変形し、被加工物５の曲面に密着する。その結果、音響変換器２と被加工物５との間の接触領域は、表面に適応することのできる変形可能な結合素子１によって拡大される。接触領域の拡大の結果、被加工物５から音響変換器２に総合的に高い音響パワーを伝達することができる。したがって弱い音響信号も評価ユニット８によって検出することができる。そのような弱い音響信号は、例えば工具３による加工中に非常に微細なクラックが被加工物５に形成されたときに発生する。
【００３４】
被加工物処理中に放出される構造物伝搬雑音は、主に高周波音響周波数を含む。これとは代替的に、音響変換器２が、音響信号を被加工物５に発信する音発生器を有することもできる。被加工物５への音のこの発信は、例えば工具処理の直接監視のために使用することができる。他方、音響変換器２または被加工物５および音響変換器２の組合せを、発信された音によって較正することができる。
【００３５】
音響変換器２を物体４に音響結合するための結合素子１は、図２から推定することができる。結合素子１は少なくとも幾つかの領域が変形可能であるので、実質的に確実に物体４に接触することができる。図２から、結合素子１は少なくとも部分的に外皮１０によって包囲された充填物９を有することを推定することができる。外皮１０もまた変形可能である。外皮１０は塑性または弾性変形可能にすることができることが好ましい。外皮１０は例えばフィルム、網、織物、またはそれらの組合せから形成することができる。また、図２からは、充填物２が、互いに接触し合って物体４と音響変換器２との間に多くの平行な音伝達経路１７を形成する伝達体１１を含むことを推定することもでき、その１つが実施例として示されている。この場合、外皮１０が少なくとも１つの開口１２を有することが好都合である。開口１２の領域では、伝達体１１が音響変換器２の一部分と直接接触できることが好都合である。音響変換器２に割り当てられた音響センサ１４のセンサ面は、音響変換器２のこの部分の領域に位置することができる。
【００３６】
図２によると、伝達体は略球状に形成される。球体１１を液体で包囲すると好都合であり得る。液体は例えば油を含むことができる。希望に応じて、または追加的に、充填物９が１つ以上の空隙１３を含むと好都合であり得る。好ましくは金属から形成することのできる球体および球体を包囲する油による結合素子１の構成は、一方では結合素子１が物体４の自由曲面に非常によく密着することができ、かつ他方では構造物伝搬雑音の音響スペクトルの低周波部分および高周波部分の両方とも、物体４から球状伝達体１１を介して、音響変換器２に配置された音響センサ１４のセンサ表面に直接伝達することができるという利点をもたらす。同時に、音響変換器２の筐体が結合素子１に一体に接続されることが分かる。接続は、結合素子１の充填物９の外皮１０が、音響変換器２の筐体に直接施されるように構成される。この場合、接着接続が好都合であり得る。精密に嵌合するように製造する場合、焼き嵌めおよび溝を用いた追加形状嵌めも可能である。加えて、接触点上に固定スリーブを取着することができ、ここではクリップと同様の螺合、圧締、溶接、はんだ付け、接着等が可能である。
【００３７】
特に被加工物の機械的処理中の好ましくは高周波構造物伝搬雑音の検出および／または生成のための音響変換器２は、図３から推定することができる。したがって、音響変換器はまた、音響センサ１４および筐体１５に加えて、連結片１６をも含む。音響センサ１４に加えて音発生器も設けることができ、その場合、音響センサ１４は複合音響センサ／音発生器であることが好都合である。音響センサ１４および音発生器は圧電部品として形成することができる。連結片１６は、結合素子１と筐体１５との間の機械的結合を形成する。連結片１６を音響変換器２の筐体に螺合することができることを、図３から推定することができる。螺合とは代替的に、他の接続を設けることもできる。希望に応じて、これらは確実、非確実、またはシームレス接続とすることができる。連結片１６は金属から形成することが好ましい。螺合可能な連結片を持つ本発明に係る音響変換器の構成は、必要な場合に結合素子１を音響変換器２の筐体から取外すことができるという利点を有する。したがって、希望する場合、音響変換器２を直接、すなわち結合素子無しで、物体４または被加工物の表面に当着させることが可能である。この場合、音響センサ１４のセンサ表面または筐体１５は、被加工物の表面に直接接続される。
【符号の説明】
【００３８】
１    結合素子
２    音響変換器
３    工具
４    物体
５    被加工物
６    被加工物処理装置
７    電気接続
８    評価ユニット
９    充填物
１０    外皮
１１    伝達体
１２    開口
１３    空隙
１４    音響センサ
１５    筐体
１６    連結片
１７    音伝達経路
【図１】
2013509570.tif 000003
【図２】
2013509570.tif 000004
【図３】
2013509570.tif 000005
【国際調査報告】
2013509570.tif 000006
2013509570.tif 000007
2013509570.tif 000008
2013509570.tif 000009
2013509570.tif 000010
2013509570.tif 000011